(57)【特許請求の範囲】
【請求項１】
医療処置の際に医療機器が載置される機器台の上面上に折り畳まれた初期状態にて載置され、展開状態へと展開されて前記機器台の前記上面および側方を覆う機器台カバーであって、
医療処置の準備の際に、前記初期状態から前記展開状態へと移行する途上の半展開状態にて前記機器台の前記上面を覆い、
前記半展開状態において、
不潔面が前記機器台の前記上面と接する矩形状の中央部と、
前記中央部の横方向の両側に隣接する２つの折り畳み部と、
を備えることを特徴とする機器台カバー。
【請求項２】
請求項１に記載の機器台カバーであって、
前記２つの折り畳み部がそれぞれ、
前記中央部から前記横方向に広がる第１部位と、
前記第１部位から前記横方向に広がる部位を縦方向に延びる第１折り返し線にて前記不潔面同士を対向させつつ折り返すことにより、前記第１部位の下方にて前記第１部位と重なる第２部位と、
前記第２部位から前記横方向に広がる部位を前記縦方向に延びる第２折り返し線にて清潔面同士を対向させつつ折り返すことにより、前記第２部位の下方にて前記第２部位と重なる第３部位と、
を備えることを特徴とする機器台カバー。
【請求項３】
請求項２に記載の機器台カバーであって、
前記２つの折り畳み部がそれぞれ、
前記第３部位から前記横方向に広がる部位を前記縦方向に延びる第３折り返し線にて前記不潔面同士を対向させつつ折り返すことにより、前記第３部位の下方にて前記第３部位と重なる第４部位と、
前記第４部位から前記横方向に広がる部位を前記縦方向に延びる第４折り返し線にて前記清潔面同士を対向させつつ折り返すことにより、前記第４部位の下方にて前記第４部位と重なる第５部位と、
をさらに備えることを特徴とする機器台カバー。
【請求項４】
請求項２または３に記載の機器台カバーであって、
前記折り畳み部の側端部が、前記第１折り返し線から前記横方向に延出することを特徴とする機器台カバー。
【請求項５】
請求項１ないし４のいずれかに記載の機器台カバーであって、
前記半展開状態にて前記機器台の前記上面を覆う状態において、前記不潔面のみが前記機器台の前記上面に接することを特徴とする機器台カバー。
【請求項６】
請求項１ないし５のいずれかに記載の機器台カバーであって、
前記半展開状態において、前記２つの折り畳み部の前記横方向の側縁から下方に広がる２つの垂下部をさらに備えることを特徴とする機器台カバー。
【請求項７】
請求項１ないし６のいずれかに記載の機器台カバーであって、
前記半展開状態において、前記中央部および前記２つの折り畳み部の前記縦方向の両側に隣接する２つの他の折り畳み部をさらに備えることを特徴とする機器台カバー。
【請求項８】
請求項１ないし７のいずれかに記載の機器台カバーであって、
前記中央部の前記不潔面に、前記機器台の前記上面に粘着する粘着部が設けられることを特徴とする機器台カバー。
【請求項９】
請求項１ないし８のいずれかに記載の機器台カバーであって、
前記上面の上下方向の位置が変更可能である昇降式の前記機器台を覆うことを特徴とする機器台カバー。
【発明の詳細な説明】
【技術分野】
【０００１】
本発明は、機器台を覆う機器台カバーに関する。
【背景技術】
【０００２】
従来より、手術室において外科手術等の医療処置が行われる際には、手術器具や包帯等を載置する台として機械台やメイヨ台のような機器台が利用されている。機器台は、例えば、特許文献１に記載されたカバーにより、上面および側方が覆われる。
【先行技術文献】
【特許文献】
【０００３】
【特許文献１】特開平１０−３２８２０６号公報
【発明の概要】
【発明が解決しようとする課題】
【０００４】
ところで、特許文献１のように、機器台カバーが機器台の側面に大きく垂れ下がっている場合、機器台カバーの下部が、腰から下の不潔領域に位置して不潔状態となる。大きな病院では、複数の機器台に機器台カバーが掛けられた状態で準備室等に準備されることがあるが、不潔状態の機器台カバーの下部が、準備室等で作業をする看護士の清潔部位に触れるおそれがある。
【０００５】
また、手術室で行われる医療処置の種類によっては昇降式の機器台が使用される場合がある。当該機器台が上昇すると、準備段階で不潔状態となった機器台カバーの下部が、看護士等の腰よりも上側の清潔領域まで移動するおそれがある。なお、機器台カバーの下部が不潔状態となることを防止するために、機器台の側面に垂れ下がった機器台カバー上から他のカバーを巻き付けることも考えられるが、機器台の準備作業が複雑化し、当該準備作業に要する労力および時間が増大する。
【０００６】
本発明は、上記課題に鑑みなされたものであり、機器台カバーのうち機器台の側方を覆う部位が、機器台の準備段階で不潔状態となることを抑制することを目的としている。
【課題を解決するための手段】
【０００７】
請求項１に記載の発明は、医療処置の際に医療機器が載置される機器台の上面上に折り畳まれた初期状態にて載置され、展開状態へと展開されて前記機器台の前記上面および側方を覆う機器台カバーであって、医療処置の準備の際に、前記初期状態から前記展開状態へと移行する途上の半展開状態にて前記機器台の前記上面を覆い、前記半展開状態において、不潔面が前記機器台の前記上面と接する矩形状の中央部と、前記中央部の横方向の両側に隣接する２つの折り畳み部とを備える。
【０００８】
請求項２に記載の発明は、請求項１に記載の機器台カバーであって、前記２つの折り畳み部がそれぞれ、前記中央部から前記横方向に広がる第１部位と、前記第１部位から前記横方向に広がる部位を縦方向に延びる第１折り返し線にて前記不潔面同士を対向させつつ折り返すことにより、前記第１部位の下方にて前記第１部位と重なる第２部位と、前記第２部位から前記横方向に広がる部位を前記縦方向に延びる第２折り返し線にて清潔面同士を対向させつつ折り返すことにより、前記第２部位の下方にて前記第２部位と重なる第３部位とを備える。
【０００９】
請求項３に記載の発明は、請求項２に記載の機器台カバーであって、前記２つの折り畳み部がそれぞれ、前記第３部位から前記横方向に広がる部位を前記縦方向に延びる第３折り返し線にて前記不潔面同士を対向させつつ折り返すことにより、前記第３部位の下方にて前記第３部位と重なる第４部位と、前記第４部位から前記横方向に広がる部位を前記縦方向に延びる第４折り返し線にて前記清潔面同士を対向させつつ折り返すことにより、前記第４部位の下方にて前記第４部位と重なる第５部位とをさらに備える。
【００１０】
請求項４に記載の発明は、請求項２または３に記載の機器台カバーであって、前記折り畳み部の側端部が、前記第１折り返し線から前記横方向に延出する。
【００１１】
請求項５に記載の発明は、請求項１ないし４のいずれかに記載の機器台カバーであって、前記半展開状態にて前記機器台の前記上面を覆う状態において、前記不潔面のみが前記機器台の前記上面に接する。
【００１２】
請求項６に記載の発明は、請求項１ないし５のいずれかに記載の機器台カバーであって、前記半展開状態において、前記２つの折り畳み部の前記横方向の側縁から下方に広がる２つの垂下部をさらに備える。
【００１３】
請求項７に記載の発明は、請求項１ないし６のいずれかに記載の機器台カバーであって、前記半展開状態において、前記中央部および前記２つの折り畳み部の前記縦方向の両側に隣接する２つの他の折り畳み部をさらに備える。
【００１４】
請求項８に記載の発明は、請求項１ないし７のいずれかに記載の機器台カバーであって、前記中央部の前記不潔面に、前記機器台の前記上面に粘着する粘着部が設けられる。
【００１５】
請求項９に記載の発明は、請求項１ないし８のいずれかに記載の機器台カバーであって、前記上面の上下方向の位置が変更可能である昇降式の前記機器台を覆う。
【発明の効果】
【００１６】
本発明では、機器台カバーのうち機器台の側方を覆う部位が、機器台の準備段階で不潔状態となることを抑制することができる。
【図面の簡単な説明】
【００１７】
【図１】一の実施の形態に係る機器台カバーの斜視図である。
【図２】初期展開状態の機器台カバーの斜視図である。
【図３】半展開状態の機器台カバーの斜視図である。
【図４】展開状態の機器台カバーの斜視図である。
【図５】機器台カバーおよび機器台の断面図である。
【図６】機器台カバーおよび機器台の断面図である。
【図７】機器台カバーの断面図である。
【図８】機器台カバーおよび機器台の断面図である。
【図９】機器台カバーおよび機器台の断面図である。
【発明を実施するための形態】
【００１８】
図１は、本発明の一の実施の形態に係る機器台カバー１を示す斜視図である。図１では、滅菌袋等から取り出された直後の折り畳まれた状態の機器台カバー１を示す。図２および図３は、展開途上の機器台カバー１を示す斜視図である。図４は、展開された状態の機器台カバー１を示す斜視図である。図３および図４では、機器台９も併せて図示する。図１に示す機器台カバー１の状態を「初期状態」と呼ぶ。図２および図３に示す展開途上の機器台カバー１の状態をそれぞれ、「初期展開状態」および「半展開状態」と呼ぶ。図４に示す展開済みの機器台カバー１の状態を「展開状態」と呼ぶ。
【００１９】
図３および図４に示すように、機器台９は、略矩形板状の天板９１と、天板９１の下面に接続されて天板９１を下方から支持する支持部９２とを備える。機器台９の上面９３（すなわち、天板９１の上面）上には、医療処置の際に医療機器が載置される。機器台９は、例えば、天板９１が上下方向に移動可能な昇降式の機器台である。換言すれば、機器台９では、上面９３の上下方向の位置が変更可能である。天板９１を上下方向に移動させるための昇降用のスイッチ９７は、天板９１の側面９５に設けられる。スイッチ９７は、天板９１の側面９５の下方に配置されてもよい。機器台９には、一般的に機械台と呼ばれる台や、メイヨ台が含まれる。
【００２０】
展開状態の機器台カバー１は、例えば、略矩形状である。機器台カバー１は、例えば、ポリエチレン（ＰＥ）やポリプロピレン（ＰＰ）等の樹脂により形成されたシート、不織布、または、樹脂シートと不織布とが積層された積層シートにより形成される。機器台カバー１では、機器台９の上面９３上に配置される部位に、不織布等で形成されたシート状の補強部材が設けられてもよい。
【００２１】
機器台カバー１は、図１に示す折り畳まれた初期状態にて、機器台９の上面９３上に載置され、図２に示す初期展開状態および図３に示す半展開状態を経て、図４に示す展開状態へと展開されて機器台９の上面９３および側方を覆う。
【００２２】
詳細には、機器台カバー１は、手術の準備室等における医療処置の準備の際に、図１に示す初期状態から図３に示す半展開状態まで展開される。機器台カバー１は、初期状態から展開状態へと移行する途上の半展開状態にて、機器台９の上面９３を覆う。機器台カバー１上には、医療機器が載置される。半展開状態の機器台カバー１により覆われた機器台９は、手術室に搬入される。そして、機器台９の天板９１が上下方向に移動して上面９３の上下方向の位置が決定された後、半展開状態の機器台カバー１が展開され、図４に示す展開状態となる。図３および図４では、図の理解を容易にするために、機器台カバー１上の医療機器の図示を省略する。
【００２３】
図１に示すように、初期状態の機器台カバー１は、横方向（すなわち、幅方向）に延びる４つの折り返し線２１１〜２１４にて、横方向に垂直な縦方向（すなわち、長手方向）に折り畳まれている。４つの折り返し線２１１〜２１４は、機器台カバー１を縦方向におよそ５等分する位置に位置する。機器台カバー１は、折り返し線２１２と折り返し線２１３との間の部位である第３部位２２３（すなわち、縦方向の中央の部位）が最も下側に位置するように折り畳まれている。
【００２４】
具体的には、折り返し線２１１と折り返し線２１２との間の部位である第２部位２２２が、折り返し線２１２にて縦方向に折り返されて第３部位２２３上に配置され、縦方向の一方の端部２３１を含む第１部位２２１が、折り返し線２１１にて縦方向に折り返されて第２部位２２２上に配置される。また、折り返し線２１３と折り返し線２１４との間の部位である第４部位２２４が、折り返し線２１３にて縦方向に折り返されて第１部位２２１上に配置され、縦方向の他方の端部２３２を含む第５部位２２５が折り返し線２１４にて縦方向に折り返されて第４部位２２４上に配置される。
【００２５】
初期状態の機器台カバー１が機器台９上に載置される際には、第３部位２２３の下面（すなわち、不潔面）に設けられた粘着部４９（図３および図４参照）が、機器台９の上面９３に粘着する。これにより、機器台９の上面９３上において、初期状態の機器台カバー１の位置ずれが抑制される。また、機器台カバー１を初期状態から展開状態まで展開する際に、機器台カバー１が機器台９からずれ落ちる心配がないため、機器台カバー１を容易に展開することができる。
【００２６】
初期状態の機器台カバー１が機器台９上に載置されると、機器台カバー１の縦方向の両端部２３１，２３２が把持されて縦方向に引っ張られる。これにより、初期状態の機器台カバー１が縦方向に展開され、図２に示す初期展開状態となる。初期展開状態の機器台カバー１は、縦方向に延びる２つの折り返し線３１１，３１２にて、横方向に折り畳まれている。２つの折り返し線３１１，３１２は、機器台カバー１を横方向におよそ３等分する位置に位置する。機器台カバー１は、折り返し線３１１と折り返し線３１２との間の部位である第２部位３２２（すなわち、横方向の中央の部位）が最も下側に位置するように折り畳まれている。
【００２７】
具体的には、横方向の一方の端部３３１を含む第１部位３２１が、折り返し線３１１にて横方向に折り返されて第２部位３２２上に配置される。また、横方向の他方の端部３３２を含む第３部位３２３が、折り返し線３１２にて横方向に折り返されて第１部位３２１上に配置される。
【００２８】
機器台カバー１が初期展開状態に展開されると、機器台カバー１の横方向の端部３３２が把持され、第３部位３２３が横方向に広げられる。また、機器台カバー１の横方向の端部３３１が把持され、第１部位３２１が横方向に広げられる。これにより、初期展開状態の機器台カバー１が横方向に展開され、図３に示す半展開状態となる。
【００２９】
図５および図６はそれぞれ、機器台カバー１および機器台９を図３中のＶ−Ｖの位置、および、ＶＩ−ＶＩの位置にて切断した断面図である。図５に示す断面は、機器台カバー１の縦方向に垂直な断面である。図６に示す断面は、機器台カバー１の横方向に垂直な断面である。図６は、機器台カバー１の縦方向の一方の端部近傍の断面図である。
【００３０】
図３および図５に示すように、機器台カバー１は、半展開状態において、中央部４１と、２つの折り畳み部４２と、２つの垂下部４３とを備える。各折り畳み部４２は、機器台カバー１の一部が折り畳まれて上下方向に積層された部位である。中央部４１および垂下部４３では、機器台カバー１が折り畳まれていない。図５に示す例では、中央部４１と折り畳み部４２との境界は、後述する第２折り返し線４６２と上下方向に重なる。
【００３１】
中央部４１は、平面視において略矩形状であり、下面である不潔面１２が機器台９の上面９３に接する。中央部４１の不潔面１２には、上述の粘着部４９が設けられる。中央部４１の上面である清潔面１１上には、上述の医療機器が載置される。２つの折り畳み部４２は、中央部４１の横方向の両側に隣接する。２つの折り畳み部４２はそれぞれ、平面視において略矩形状である。中央部４１の横方向の幅は、例えば７０ｃｍ〜１２０ｃｍであり、各折り畳み部４２の横方向の幅は、例えば１０ｃｍ〜２０ｃｍである。中央部４１の横方向の幅は、例えば、機器台９の横方向の幅の６０％以上９０％以下である。
【００３２】
２つの折り畳み部４２はそれぞれ、第１部位４２１と、第２部位４２２と、第３部位４２３とを備える。第１部位４２１、第２部位４２２および第３部位４２３はそれぞれ、平面視において略矩形状である。第１部位４２１と第２部位４２２とは、縦方向に延びる第１折り返し線４６１にて連続する。第２部位４２２と第３部位４２３とは、縦方向に延びる第２折り返し線４６２にて連続する。
【００３３】
第１部位４２１は、中央部４１から横方向に広がる。第２部位４２２は、第１部位４２１の下方にて第１部位４２１と上下方向に重なる。第２部位４２２は、第１部位４２１から横方向に広がる部位（すなわち、第１部位４２１から中央部４１とは反対側に広がる機器台カバー１の一部）を、第１折り返し線４６１にて不潔面１２同士を対向させつつ横方向に折り返すことにより形成される。
【００３４】
第３部位４２３は、第２部位４２２の下方にて、第１部位４２１および第２部位４２２と上下方向に重なる。第３部位４２３は、第２部位４２２から横方向に広がる部位（すなわち、第２部位４２２から第１部位４２１とは反対側に広がる機器台カバー１の一部）を、第２折り返し線４６２にて清潔面１１同士を対向させつつ横方向に折り返すことにより形成される。第３部位４２３の側端部（すなわち、折り畳み部４２の側端部）は、第１折り返し線４６１から横方向に延出する。換言すれば、第３部位４２３の第２折り返し線４６２とは反対側にて縦方向に延びる側縁４６６と、中央部４１との間に第１折り返し線４６１が位置する。さらに換言すれば、第１折り返し線４６１は、横方向において、第２折り返し線４６２と第３部位４２３の側縁４６６との間に位置する。
【００３５】
２つの垂下部４３は、半展開状態において、２つの第３部位４２３の側縁４６６（すなわち、２つの折り畳み部４２の横方向の側縁４６６）から下方に広がる。折り畳み部４２の横方向の側縁４６６は、垂下部４３の上端縁でもある。２つの垂下部４３は、機器台９の天板９１の横方向の両側面９５を覆う。図３中の手前側の垂下部４３は、機器台９の横方向の側部に設けられるスイッチ９７を覆う。垂下部４３の下端縁４３１は、機器台９の天板９１の下面９４よりも下方、または、下面９４と上下方向のおよそ同じ位置に位置する。垂下部４３の上下方向の高さは、例えば１０ｃｍ〜２０ｃｍである。
【００３６】
図５に示すように、機器台カバー１が半展開状態にて機器台９の上面９３を覆う状態において、機器台カバー１の不潔面１２のみが機器台９の上面９３に接する。また、機器台カバー１の不潔面１２のみが、機器台９の天板９１の側面９５に接する。上面９３は、機器台カバー１の中央部４１および２つの折り畳み部４２により、全面に亘って覆われる。２つの側面９５は、２つの垂下部４３により、全面に亘って覆われる。
【００３７】
図３および図６に示すように、機器台カバー１は、半展開状態において、２つの他の折り畳み部４４と、２つの他の垂下部４５とをさらに備える。以下の説明では、折り畳み部４２，４４の区別を容易とするために、折り畳み部４２，４４をそれぞれ、「横折り畳み部４２」および「縦折り畳み部４４」とも呼ぶ。また、垂下部４３，４５の区別を容易とするために、垂下部４３，４５をそれぞれ、「横垂下部４３」および「縦垂下部４５」とも呼ぶ。各縦折り畳み部４４の縦方向の幅は、例えば４０ｃｍ〜６０ｃｍである。各縦垂下部４５の上下方向の高さは、例えば１０ｃｍ〜２０ｃｍである。
【００３８】
２つの縦折り畳み部４４は、半展開状態において、中央部４１および２つの横折り畳み部４２の縦方向の両側に隣接する。２つの縦折り畳み部４４は、平面視において略矩形状である。２つの縦折り畳み部４４はそれぞれ、第１部位４４１と、第２部位４４２と、第３部位４４３とを備える。第１部位４４１、第２部位４４２および第３部位４４３はそれぞれ、平面視において略矩形状である。第１部位４４１と第２部位４４２とは、横方向に延びる第１折り返し線４７１にて連続する。第２部位４４２と第３部位４４３とは、横方向に延びる第２折り返し線４７２にて連続する。
【００３９】
第１部位４４１は、中央部４１および２つの横折り畳み部４２の縦方向の端部でもある。第２部位４４２は、第１部位４４１の下方にて第１部位４４１と上下方向に重なる。第２部位４４２は、第１部位４４１から縦方向に広がる部位（すなわち、第１部位４４１から中央部４１とは反対側に広がる部位）を、第１折り返し線４７１にて縦方向に折り返すことにより形成される。
【００４０】
第３部位４４３は、第２部位４４２の下方にて、第１部位４４１および第２部位４４２と上下方向に重なる。第３部位４４３は、第２部位４４２から縦方向に広がる部位を、第２折り返し線４７２にて縦方向に折り返すことにより形成される。第３部位４４３の側端部（すなわち、縦折り畳み部４４の側端部）は、第１折り返し線４７１から縦方向に延出する。換言すれば、第３部位４４３の第２折り返し線４７２とは反対側にて横方向に延びる側縁４７６は、第１折り返し線４７１を挟んで、中央部４１とは縦方向の反対側に位置する。さらに換言すれば、第１折り返し線４７１は、縦方向において、第２折り返し線４７２と第３部位４４３の側縁４７６との間に位置する。
【００４１】
２つの縦垂下部４５は、半展開状態において、２つの第３部位４４３の側縁４７６（すなわち、２つの縦折り畳み部４４の縦方向の側縁４７６）から下方に広がる。縦折り畳み部４４の縦方向の側縁４７６は、縦垂下部４５の上端縁でもある。２つの縦垂下部４５は、機器台９の天板９１の縦方向の両側面９６を覆う。縦垂下部４５の下端縁４５１は、機器台９の天板９１の下面９４よりも下方、または、下面９４と上下方向のおよそ同じ位置に位置する。２つの側面９６は、２つの縦垂下部４５により、全面に亘って覆われる。
【００４２】
半展開状態の機器台カバー１は、機器台９の上面９３を覆う。これにより、清潔状態の看護士等が、不潔領域である機器台９の上面９３に誤って接触することを防止することができる。また、半展開状態の機器台カバー１は、機器台９の側面９５，９６を覆う。これにより、清潔状態の看護士等が、不潔領域である機器台９の側面９５，９６に誤って接触することを防止することができる。
【００４３】
半展開状態の機器台カバー１により覆われた機器台９は、上述のように、手術室に搬入される。そして、スイッチ９７が操作され、機器台９の上面９３の上下方向の位置が決定される。上述のように、スイッチ９７は機器台カバー１の横垂下部４３により覆われているため、清潔状態の看護士等が、スイッチ９７に直接的に触れて不潔状態となることなく、横垂下部４３上からスイッチ９７を操作することができる。その後、各横折り畳み部４２の第３部位４２３のうち、第１折り返し線４６１から横方向に延出している部位（すなわち、横折り畳み部４２の側端部）が看護士等により摘ままれ、横方向に引っ張り出される。これにより、各横折り畳み部４２が横方向に展開される。
【００４４】
機器台カバー１では、２つの縦折り畳み部４４は、機器台カバー１の一部が折り畳まれて２つの横折り畳み部４２が形成された状態で、中央部４１および２つの横折り畳み部４２の縦方向の両端部を含む部位が折り畳まれることにより形成されている。このため、２つの横折り畳み部４２を上述のように横方向に展開する際に、各縦折り畳み部４４が、２つの横折り畳み部４２に横方向から引っ張られる。これにより、各縦折り畳み部４４が自然に（すなわち、看護士が摘まんで引っ張ることなく）縦方向に展開される。したがって、縦折り畳み部４４の展開を容易とすることができる。
【００４５】
機器台カバー１では、２つの横折り畳み部４２が横方向に展開され、２つの縦折り畳み部４４が縦方向に展開されることにより、図３に示す半展開状態から、図４に示す展開状態となる。展開状態の機器台カバー１は、上述のように、機器台９の上面９３および側方を覆う。これにより、機器台９の上面９３の上下方向の位置が決定された後に、機器台９の側方に広い清潔部位（すなわち、清潔面１１）を出現させることができる。なお、上述のように、機器台９上の医療機器は、半展開状態の医療用カバ−１の中央部４１上に主に載置されているため、横折り畳み部４２および縦折り畳み部４４を展開する際に、当該医療機器の位置ずれはほとんど生じない。
【００４６】
以上に説明したように、機器台カバー１は、折り畳まれた初期状態にて機器台９の上面９３上に載置され、展開状態へと展開されて機器台９の上面９３および側方を覆う。医療処置の準備の際には、機器台カバー１は、初期状態から展開状態へと移行する途上の半展開状態にて機器台９の上面９３を覆う。機器台カバー１は、半展開状態において、中央部４１と、２つの折り畳み部４２（すなわち、横折り畳み部４２）とを備える。中央部４１は、矩形状であり、不潔面１２が機器台９の上面９３と接する。２つの折り畳み部４２は、中央部４１の横方向の両側に隣接する。
【００４７】
これにより、機器台カバー１のうち機器台９の側方を覆う部位が、機器台９の準備段階で不潔状態となることを抑制することができる。その結果、機器台カバー１の不潔状態となった部位に、看護士等が触れることを抑制することができる。また、機器台カバー１の不潔状態となった部位が、手術室内の清潔領域に近づくことを抑制することができる。
【００４８】
機器台カバー１は、上述のように、折り畳み部４２を展開した時点で機器台９の側方に広い清潔部位を初めて出現させることができるため、上面９３の上下方向の位置が変更可能である昇降式の機器台９を覆う場合に特に適している。
【００４９】
上述のように、２つ折り畳み部４２はそれぞれ、第１部位４２１と、第２部位４２２と、第３部位４２３とを備える。第１部位４２１は、中央部４１から横方向に広がる。第２部位４２２は、第１部位４２１から横方向に広がる部位を、縦方向に延びる第１折り返し線４６１にて不潔面１２同士を対向させつつ折り返すことにより、第１部位４２１の下方にて第１部位４２１と重なる。第３部位４２３は、第２部位４２２から横方向に広がる部位を、縦方向に延びる第２折り返し線４６２にて清潔面１１同士を対向させつつ折り返すことにより、第２部位４２２の下方にて第２部位４２２と重なる。
【００５０】
折り畳み部４２を展開して機器台カバー１を展開状態とする際に、第３部位４２３のうち第２部位４２２に覆われている部位を看護士等が摘まむことにより、折り畳み部４２の他の部位を摘まむ場合に比べて、より清潔な状態で機器台カバー１の展開作業を行うことができる。
【００５１】
上述のように、各折り畳み部４２の側端部は、第１折り返し線４６１から横方向に延出する。折り畳み部４２を展開して機器台カバー１を展開状態とする際に、第３部位４２３のうち第１折り返し線４６１から延出している部位を看護士等が摘まむことにより、折り畳み部４２の他の部位を摘まむ場合に比べて、機器台カバー１の展開作業を容易に行うことができる。
【００５２】
機器台カバー１が半展開状態にて機器台９の上面９３を覆う状態においては、機器台カバー１の不潔面１２のみが機器台９の上面９３に接する。これにより、機器台カバー１の清潔面１１が、不潔状態の機器台９と接触することを防止することができる。
【００５３】
機器台カバー１は、半展開状態において、２つの折り畳み部４２の横方向の側縁４６６から下方に広がる２つの垂下部４３をさらに備える。これにより、機器台９の天板９１の横方向の側面９５を覆うことができる。その結果、不潔状態の機器台９の天板９１の横方向の側面９５に、看護士等が触れることを抑制することができる。また、垂下部４３の下端縁４３１は、機器台９の天板９１の下面９４よりも下方、または、下面９４と上下方向のおよそ同じ位置に位置する。このため、天板９１の横方向の側面９５を全面に亘って機器台カバー１により覆うことができる。その結果、不潔状態の機器台９の天板９１の横方向の側面９５に、看護士等が触れることを防止することができる。
【００５４】
上述のように、機器台カバー１は、半展開状態において、中央部４１および２つの折り畳み部４２（すなわち、横折り畳み部４２）の縦方向の両側に隣接する２つの縦折り畳み部４４をさらに備える。これにより、機器台カバー１のうち機器台９の縦方向の側方を覆う部位が、機器台９の準備段階で不潔状態となることを抑制することができる。その結果、機器台カバー１の不潔状態となった部位に、看護士等が触れることを抑制することができる。また、機器台カバー１の不潔状態となった部位が、手術室内の清潔領域に近づくことを抑制することができる。
【００５５】
機器台カバー１は、半展開状態において、２つの縦折り畳み部４４の縦方向の側縁４７６から下方に広がる２つの縦垂下部４５をさらに備える。これにより、機器台９の天板９１の縦方向の側面９６を覆うことができる。その結果、不潔状態の機器台９の天板９１の縦方向の側面９６に、看護士等が触れることを抑制することができる。また、垂下部４３の下端縁４３１は、機器台９の天板９１の下面９４よりも下方、または、下面９４と上下方向のおよそ同じ位置に位置する。このため、天板９１の縦方向の側面９６を全面に亘って機器台カバー１により覆うことができる。その結果、不潔状態の機器台９の天板９１の縦方向の側面９６に、看護士等が触れることを防止することができる。
【００５６】
上述のように、半展開状態における機器台カバー１の中央部４１の不潔面１２には、機器台９の上面９３に粘着する粘着部４９が設けられる。これにより、機器台９を覆う半展開状態の機器台カバー１のずれを防止することができる。また、機器台カバー１を半展開状態から展開状態に展開する際に、機器台カバー１が機器台９からずれ落ちる心配がないため、機器台カバー１を容易に展開することができる。
【００５７】
図１に示す初期状態の機器台カバー１は、上述の展開状態から半展開状態および初期展開状態を経て折り畳まれることにより形成される。半展開状態から初期展開状態へと折り畳まれる際には、図７に示すように、横垂下部４３は、上端縁（すなわち、折り畳み部４２の側縁４６６）にて不潔面１２同士を対向させつつ横方向に折り返され、折り畳み部４２の第３部位４２３の下方にて第３部位４２３と重なる。そして、図７に示す状態から、機器台カバー１の横方向の両側の部位（折り畳み部４２および垂下部４３）が、清潔面１１同士を対向させつつ中央部４１上へと横方向に折り返される。これにより、機器台カバー１は、図２に示す初期展開状態となる。
【００５８】
次に、折り畳み部の構造の他の好ましい例について説明する。図８は、２つの折り畳み部４２ａを備える半展開状態の機器台カバー１の縦方向に垂直な断面を示す図であり、図５に対応する。図８では、機器台９の断面も併せて示す。後述する図９においても同様である。図８および図９においては、上述の横折り畳み部４２に対応する折り畳み部について説明するが、これらの構造は、上述の縦折り畳み部４４に適用されてもよい。
【００５９】
図８に示すように、２つの折り畳み部４２ａはそれぞれ、上述の第１部位４２１、第２部位４２２および第３部位４２３に加えて、第４部位４２４と、第５部位４２５とをさらに備える。第４部位４２４および第５部位４２５はそれぞれ、平面視において略矩形状である。第４部位４２４は、縦方向に延びる第３折り返し線４６３にて第３部位４２３と連続する。第４部位４２４と第５部位４２５とは、縦方向に延びる第４折り返し線４６４にて連続する。
【００６０】
第４部位４２４は、第３部位４２３の下方にて、第１部位４２１、第２部位４２２および第３部位４２３と上下方向に重なる。第４部位４２４は、第３部位４２３から横方向に広がる部位（すなわち、第３部位４２３から第２部位４２２とは反対側に広がる機器台カバー１の一部）を、第３折り返し線４６３にて不潔面１２同士を対向させつつ横方向に折り返すことにより形成される。
【００６１】
第５部位４２５は、第４部位４２４の下方にて、第１部位４２１、第２部位４２２、第３部位４２３および第４部位４２４と上下方向に重なる。第５部位４２５は、第４部位４２４から横方向に広がる部位（すなわち、第４部位４２４から第３部位４２３とは反対側に広がる機器台カバー１の一部）を、第４折り返し線４６４にて清潔面１１同士を対向させつつ横方向に折り返すことにより形成される。第５部位４２５の縦方向に延びる側縁４６６（すなわち、折り畳み部４２ａの側縁４６６）から、垂下部４３が下方に広がる。
【００６２】
図８に示す例では、折り畳み部４２ａを展開して機器台カバー１を展開状態とする際に、看護士等が第３部位４２３および第４部位４２４を第３折り返し線４６３を挟んで摘まむことにより、機器台カバー１の展開作業を容易に行うことができる。
【００６３】
図８に示すように、折り畳み部４２ａの側端部は、第１折り返し線４６１から横方向に延出している。これにより、看護士等が、第３部位４２３および第４部位４２４を第３折り返し線４６３を挟んで、さらに容易に摘まむことができる。その結果、機器台カバー１の展開作業を、より一層容易に行うことができる。
【００６４】
また、機器台カバー１が半展開状態にて機器台９の上面９３を覆う状態においては、機器台カバー１の不潔面１２のみが機器台９の上面９３に接する。これにより、機器台カバー１の清潔面１１が、不潔状態の機器台９と接触することを防止することができる。
【００６５】
さらに、折り畳み部４２ａでは、機器台カバー１が５層に積層されるため、半展開状態における折り畳み部４２ａの幅が増大することを抑制しつつ、展開状態の機器台カバー１において機器台９の側方を覆う部位の面積を大きくすることができる。
【００６６】
図８に示す例では、第２折り返し線４６２は、第４折り返し線４６４と上下方向に重なる。また、第３折り返し線４６３は、第５部位４２５の側縁４６６と上下方向に重なる。なお、第２折り返し線４６２は、第４折り返し線４６４と第１折り返し線４６１との間に位置してもよい。あるいは、第４折り返し線４６４が、第２折り返し線４６２と第１折り返し線４６１との間に位置してもよい。また、第３折り返し線４６３は、第１折り返し線４６１と側縁４６６との間に位置してもよく、第１折り返し線４６１と上下方向に重なってもよい。また、側縁４６６も、第１折り返し線４６１および第３折り返し線４６３と上下方向に重なってもよい。
【００６７】
図９は、２つの折り畳み部４２ｂを備える半展開状態の機器台カバー１の縦方向に垂直な断面を示す図であり、図５に対応する。図９に示すように、２つの折り畳み部４２ｂはそれぞれ、第１部位４２１ａと、第２部位４２２ａと、第３部位４２３ａとを備える。第１部位４２１ａ、第２部位４２２ａおよび第３部位４２３ａはそれぞれ、平面視において略矩形状である。第１部位４２１ａと第２部位４２２ａとは、縦方向に延びる第１折り返し線４６１ａにて連続する。第２部位４２２ａと第３部位４２３ａとは、縦方向に延びる第２折り返し線４６２ａにて連続する。
【００６８】
第１部位４２１ａは、中央部４１から横方向に広がる。第２部位４２２ａは、第１部位４２１ａの上方にて第１部位４２１ａと上下方向に重なる。第２部位４２２ａは、第１部位４２１ａから横方向に広がる部位（すなわち、第１部位４２１ａから中央部４１とは反対側に広がる機器台カバー１の一部）を、第１折り返し線４６１ａにて清潔面１１同士を対向させつつ横方向に折り返すことにより形成される。
【００６９】
第３部位４２３ａは、第２部位４２２ａの上方にて、第１部位４２１ａおよび第２部位４２２ａと上下方向に重なる。第３部位４２３ａは、第２部位４２２ａから横方向に広がる部位（すなわち、第２部位４２２ａから第１部位４２１ａとは反対側に広がる機器台カバー１の一部）を、第２折り返し線４６２ａにて不潔面１２同士を対向させつつ横方向に折り返すことにより形成される。
【００７０】
これにより、上記と同様に、機器台カバー１のうち機器台９の側方を覆う部位が、機器台９の準備段階で不潔状態となることを抑制することができる。また、折り畳み部４２ｂを展開して機器台カバー１を展開状態とする際に、第１部位４２１ａおよび第２部位４２２ａよりも上側に位置する第３部位４２３ａを、看護士等が容易に摘まむことができる。その結果、機器台カバー１の展開作業を容易に行うことができる。
【００７１】
図９に示す例では、第３部位４２３ａの側縁４６６ａ（すなわち、折り畳み部４２ｂの側縁４６６ａ）から、垂下部４３が下方に広がる。第３部位４２３ａの側縁４６６ａは、第１折り返し線４６１ａと上下方向に重なる。第１折り返し線４６１ａは、第３部位４２３ａの側縁４６６ａと第２折り返し線４６２ａとの間に位置してもよい。
【００７２】
上述の機器台カバー１は、様々な変更が可能である。
【００７３】
図５、図８および図９に示す医療用カバ−１では、例えば、折り畳み部４２の第３部位４２３の清潔面１１に、看護士等が摘まむタブが設けられてもよい。当該タブとして、例えば、帯状の不織布の一端が第３部位４２３の清潔面１１に接合される。折り畳み部４２が展開される際には、看護士等が当該タブを摘まんで引っ張ることにより、折り畳み部４２を容易に展開することができる。図８に示す医療用カバ−１では、当該タブが、折り畳み部４２の第４部位４２４または第５部位４２５の清潔面１１に設けられてもよい。この場合、当該タブの自由端部は、好ましくは、第３折り返し線４６３から側方に突出する。
【００７４】
例えば、折り畳み部４２または垂下部４３の清潔面１１に、機器台カバー１に覆われた機器台９のスイッチ９７の場所を示す目印が設けられてもよい。
【００７５】
機器台カバー１では、中央部４１、折り畳み部４２，４２ａ，４２ｂ、垂下部４３、縦折り畳み部４４および縦垂下部４５の幅や高さは、適宜変更されてよい。例えば、垂下部４３は、機器台９の天板９１の側面９５のうち上部のみを覆う高さであってもよい。縦垂下部４５においても同様である。機器台カバー１では、機器台９の形状に合わせて、縦折り畳み部４４および縦垂下部４５は、省略されてもよい。また、垂下部４３も省略されてもよい。
【００７６】
機器台カバー１の初期状態および初期展開状態は、図１および図２に示すものには限定されず、様々な折り畳み構造が採用されてよい。
【００７７】
機器台カバー１は、昇降式以外の機器台９を覆うために利用されてよい。また、機器台カバー１は、医療処置の際に医療機器が載置される機器台に相当するものであれば、機器台以外の名称で呼ばれるものを覆うために利用されてよい。
【００７８】
上記実施の形態および各変形例における構成は、相互に矛盾しない限り適宜組み合わされてよい。
【符号の説明】
【００７９】
１    機器台カバー
９    機器台
１１    清潔面
１２    不潔面
４１    中央部
４２，４２ａ，４２ｂ    （横）折り畳み部
４３    （横）垂下部
４４    縦折り畳み部
４９    粘着部
９３    上面
４２１，４２１ａ    第１部位
４２２，４２２ａ    第２部位
４２３，４２３ａ    第３部位
４２４    第４部位
４２５    第５部位
４６１，４６１ａ    第１折り返し線
４６２，４６２ａ    第２折り返し線
４６３    第３折り返し線
４６４    第４折り返し線
４６６，４６６ａ    側縁
【図１】
0006539161.tif 000002
【図２】
0006539161.tif 000003
【図３】
0006539161.tif 000004
【図４】
0006539161.tif 000005
【図５】
0006539161.tif 000006
【図６】
0006539161.tif 000007
【図７】
0006539161.tif 000008
【図８】
0006539161.tif 000009
【図９】
0006539161.tif 000010